(57)【要約】構造を単純化することによって生じる接着部材とシャーシの間にできる間隙から、異物が進入することを防止する。タッチパネルと対向する樹脂シャーシ３ａの上面には、両面テープ４０ａの厚み以下となる段差３１ａ，３２ａが設けられている。両面テープ４０ａは段差３１ａ，３２ａの下段となる領域に配置されている。両面テープ４０ａの端部４１ａが配置される領域には、両面テープ４ａ，４０ａと表示デバイス１とを空間的に分離するように、段差３１ａ，３２ａの上段に相当する壁（段差３１ａ）が設けられている。
2012164676.tif 000002
【特許請求の範囲】
【請求項１】
表示パネルと、この表示パネルの表示面に対し空間を介して設置される保護パネルと、前記表示パネルを収納するシャーシと、前記保護パネルを前記シャーシに固定する接着部材とを備え、
前記保護パネルと対向する前記シャーシの上面には、前記接着部材の厚み以下となる段差が設けられ、
前記接着部材は前記段差の下段となる領域に配置され、
前記接着部材の端部が配置される領域には、前記接着部材と前記表示パネルとを空間的に分離するように、前記段差の上段に相当する壁が設けられている、
ことを特徴とする表示装置。
【請求項２】
前記保護パネルは、タッチパネルであることを特徴とする請求項１に記載の表示装置。
【請求項３】
前記接着部材は、両面テープであることを特徴とする請求項１に記載の表示装置。
【請求項４】
前記接着部材と前記表示パネルとを空間的に分離するように設けた壁は、前記接着部材の端部に配置されることを特徴とする請求項１に記載の表示装置。
【請求項５】
前記接着部材の端部が配置される領域には、前記接着部材と当該表示装置の外部を空間的に分離するように、前記段差の上段に相当する高さを有する壁が設けられていることを特徴とする請求項４に記載の表示装置。
【請求項６】
表示パネルと、この表示パネルの表示面に対し空間を介して設置される保護パネルと、前記表示パネルを収納するシャーシと、前記保護パネルを前記シャーシに固定する接着部材とを備え、
前記保護パネルと対向する前記シャーシの上面には、前記接着部材の厚み以下となる段差が設けられ、
前記接着部材はこの段差の下段となる領域に配置され、
前記接着部材の端部が配置される領域には、前記接着部材と前記表示パネルとを空間的に分離するように、前記段差の上段に相当する壁が設けられ、
前記表示パネルと前記接着部材との間には、前記表示パネルの表示面より低い位置に平面を有する別の段差が設けられたことを特徴とする表示装置。
【請求項７】
前記保護パネルは、タッチパネルであることを特徴とする請求項６に記載の表示装置。
【請求項８】
前記接着部材は、両面テープであることを特徴とする請求項６に記載の表示装置。
【請求項９】
前記接着部材の端部が配置される領域には、前記接着部材と当該表示装置の外部とを空間的に分離するように、前記段差の上段に相当する高さを有する壁が設けられていることを特徴とする請求項６に記載の表示装置。
【請求項１０】
前記接着部材の端部が配置される領域には、前記接着部材と当該表示装置の外部とを空間的に分離するように、前記段差の上段より大きい高さを有する壁が設けられていることを特徴とする請求項６に記載の表示装置。
【請求項１１】
前記別の段差には、その平面部分に粘着部材が配置されていることを特徴とする請求項６に記載の表示装置。
【請求項１２】
前記粘着部材は遮光性を有していることを特徴とする請求項１１に記載の表示装置。
【請求項１３】
前記表示パネルと前記シャーシとは粘着部材を介して固定されていることを特徴とする請求項６に記載の表示装置。
【請求項１４】
前記粘着部材は、前記別の段差の領域まで延伸された形状であることを特徴とする請求項６に記載の表示装置。
【請求項１５】
前記粘着部材は遮光性を有していることを特徴とする請求項１４に記載の表示装置。
【発明の詳細な説明】
【技術分野】
【０００１】
本発明は、例えば液晶ディスプレイや有機ＥＬディスプレイなどの表示装置に関する。
【背景技術】
【０００２】
近年、タッチパネルなどの保護パネルを装備した表示装置が増加しており、それらの表示装置も大型化の傾向にある。一般に、保護パネルは両面テープでシャーシなどに固定され、保護パネルと表示パネルとの間には空間ギャップが設けられる。この空間ギャップは、保護パネルのたわみの影響を遮断することにより、保護パネルに加わる圧力による表示パネルの表示不良を防止する。また、この空間ギャップが密閉状態とならないように、保護パネルを固定する両面テープにスリットが設けられることがある。【０００３】
ここで、特許文献１に記載された関連技術について、図面を参照して説明する。図２２は、この関連技術のタッチスクリーン表示装置を示す分解斜視図である。図２３は、図２２のタッチスクリーン表示装置における接着部材を示す平面図である。【０００４】
関連技術のタッチスクリーン表示装置は、表示パネル６１０、タッチパネル６３０、及び接着部材６５０を含む。表示パネル６１０には、有効表示領域ＤＡと有効表示領域ＤＡを取り囲む周辺領域ＰＡとが定義され、フレキシブル基板６１２が接続される。接着部材６５０は、表示パネル６１０に定義された周辺領域ＰＡにおいて、表示パネル６１０とタッチパネル６３０との間に介在し、これらを互いに接着する。接着部材６５０の内側には、偏光フィルム６１７が貼り付けられている。【０００５】
接着部材６５０のうち、表示パネル６１０の周辺領域ＰＡにおける二つの長辺の各中央付近（Ｂ部）に、通気路６５７が形成されている。通気路６５７を介して、タッチパネル６３０と表示パネル６１０との間の空間に空気が流入又は流出する。接着部材６５０は、第一及び第二接着テープ６５３，６５５を含む。通気路６５７は、第一及び第二接着テープ６５３，６５５のそれぞれの端部に形成された互いに係合する凹凸形状からなり、四つの位置で折り曲がる形状を成す。接着部材６５０に囲まれた空間の空気圧は、通気路６５７によって表示装置の外部圧力に順応して変化する。また、複雑な形状をした通気路６５７の屈曲部は、異物を閉じ込めて、表示装置内への異物進入を防止している。【０００６】
また、特許文献２には、タッチパネルの接着部材を加工して複雑な形状の通気路を形成した表示装置が開示されている。特許文献３には、タッチパネルに防塵用スペーサを取り付けた複雑な構成の表示装置が開示されている。
【先行技術文献】
【特許文献】
【０００７】
【特許文献１】特開２００７−２９３８１０号公報
【特許文献２】実用新案登録第３１５９１８９号公報
【特許文献３】特開２００５−２４２４２３号公報
【発明の概要】
【発明が解決しようとする課題】
【０００８】
タッチパネルなどの保護パネルを樹脂シャーシに両面テープを介して固定する構造を有する表示装置では、両面テープの貼り位置に生じる間隙から又は両面テープの厚みによるギャップから異物が進入することにより、画像の歪曲や画質の劣化を含む画質不良を生じる。この対策として、両面テープの形状を複雑にして異物進入を防止しようとすると、廃棄する両面テープが増えることにより、両面テープのコストアップにつながる。これに加え、複雑な形状の両面テープを貼り付けることは、極めて作業性が悪い。特に、近年の表示装置の大型化に伴い、この問題は深刻になっている。【０００９】
そこで、本発明の目的は、シャーシと保護パネルとを固定する接着部材を単純な形状にしても、シャーシと保護パネルとの間隙から表示装置内へ異物が進入することを防止できる表示装置を提供し、これにより、接着部材の廃棄される部分を低減するとともに、シャーシと保護パネルとを固定する作業を容易化する。すなわち、本発明の目的は、構造を単純化することによって生じる接着部材とシャーシの間にできる間隙から、異物が進入することを防止することにある。
【課題を解決するための手段】
【００１０】
本発明に係る表示装置は、
表示パネルと、この表示パネルの表示面に対し空間を介して設置される保護パネルと、前記表示パネルを収納するシャーシと、前記保護パネルを前記シャーシに固定する接着部材とを備え、
前記保護パネルと対向する前記シャーシの上面には、前記接着部材の厚み以下となる段差が設けられ、
前記接着部材は前記段差の下段となる領域に配置され、
前記接着部材の端部が配置される領域には、前記接着部材と前記表示パネルとを空間的に分離するように、前記段差の上段に相当する壁が設けられている、
ことを特徴とする。
【発明の効果】
【００１１】
本発明によれば、接着部材の端部が配置される領域に、接着部材と表示パネルとを空間的に分離するように、段差の上段に相当する壁が設けられていることにより、構造を単純化することによって生じる接着部材とシャーシの間にできる間隙から、異物が進入することを防止できる。
【図面の簡単な説明】
【００１２】
【図１】本発明に係る実施形態１の表示装置を示す全体斜視図である。
【図２】図１の表示装置を示す分解斜視図である。
【図３】図１の表示装置においてタッチパネルを除いた状態を示す正面図である。
【図４】図３におけるＡ部を示す詳細図である。
【図５】タッチパネルを加えた状態を示す図４におけるＡ１−Ａ１線断面図である。
【図６】本発明に係る実施形態２の表示装置においてタッチパネルを除いた状態を示す正面図である。
【図７】図６におけるＢ部を示す詳細図である。
【図８】タッチパネルを加えた状態を示す図７におけるＢ１−Ｂ１線断面図である。
【図９】タッチパネルを加えた状態を示す図７におけるＢ２−Ｂ２線断面図である。
【図１０】本発明に係る実施形態３の表示装置においてタッチパネルを除いた状態を示す正面図である。
【図１１】図１０におけるＣ部を示す詳細図である。
【図１２】タッチパネルを加えた状態を示す図１１におけるＣ１−Ｃ１線断面図である。
【図１３】タッチパネルを加えた状態を示す図１１におけるＣ２−Ｃ２線断面図である。
【図１４】本発明に係る実施形態４の表示装置においてタッチパネルを除いた状態を示す正面図である。
【図１５】図１４におけるＤ部を示す詳細図である。
【図１６】タッチパネルを加えた状態を示す図１５におけるＤ１−Ｄ１線断面図である。
【図１７】タッチパネルを加えた状態を示す図１５におけるＤ２−Ｄ２線断面図である。
【図１８】本発明に係る実施形態５の表示装置においてタッチパネルを除いた状態を示す正面図である。
【図１９】図１８におけるＥ部を示す詳細図である。
【図２０】タッチパネルを加えた状態を示す図１９におけるＥ１−Ｅ１線断面図である。
【図２１】タッチパネルを加えた状態を示す図１９におけるＥ２−Ｅ２線断面図である。
【図２２】関連技術のタッチスクリーン表示装置を示す分解斜視図である。
【図２３】図２２のタッチスクリーン表示装置における接着部材を示す平面図である。
【発明を実施するための形態】
【００１３】
以下、添付図面を参照しながら、本発明を実施するための形態（以下「実施形態」という。）について説明する。なお、本明細書及び図面において、実質的に同一の構成要素については同一の符号を用いる。
【００１４】
図１は、本発明に係る実施形態１の表示装置を示す全体斜視図である。図２は、図１の表示装置を示す分解斜視図である。図３は、図１の表示装置においてタッチパネルを除いた状態を示す正面図である。４は、図３におけるＡ部を示す詳細図である。図５は、タッチパネルを加えた状態を示す図４におけるＡ１−Ａ１線断面図である。以下、これらの図面に基づき説明する。
【００１５】
本実施形態１の表示装置は、表示パネルとしての表示デバイス１と、表示デバイス１の表示面に対し空間８を介して設置される保護パネルとしてのタッチパネル２と、表示デバイス１を収納するシャーシとしての樹脂シャーシ３ａと、タッチパネル２を樹脂シャーシ３ａに固定する接着部材としての両面テープ４ａ，４０ａとを備えている。タッチパネル２と対向する樹脂シャーシ３ａの上面には、両面テープ４ａ，４０ａの厚み以下となる段差３１ａ，３２ａが設けられている。両面テープ４ａ，４０ａは段差３１ａ，３２ａの下段となる領域に配置されている。両面テープ４ａ，４０ａの端部４１ａが配置される領域には、両面テープ４ａ，４０ａと表示デバイス１とを空間的に分離するように、段差３１ａ，３２ａの上段に相当する壁（段差３１ａ）が設けられている。本実施形態１の表示装置によれば、構造を単純化することによって生じる両面テープ４ａ，４０ａと樹脂シャーシ３ａとの間にできる間隙から異物が進入することを防止できる。
【００１６】
換言すると、本実施形態１の表示装置は、表示パネルとしての表示デバイス１と、表示デバイス１を収納するシャーシ３としての樹脂シャーシ３ａと、空間８を介して表示デバイス１を覆う保護パネルとしてのタッチパネル２と、樹脂シャーシ３ａの周縁にタッチパネル２を固定する接着部材としての両面テープ４ａ，４０ａと、樹脂シャーシ３ａ及びタッチパネル２の互いに対向する面の少なくとも一方に設けられ、空間８の内外の空気の流路となる間隙９ａを形成する凸部としての段差３１ａ，３２ａとを備えている。段差３１ａ，３２ａは、樹脂シャーシ３ａに設けられ、両面テープ４ａ，４０ａの厚みよりも低い高さを有する第一凸平面である。両面テープ４ａ，４０ａは、表裏両面に接着剤等からなる接着層を有する。
【００１７】
段差３１ａ，３２ａとタッチパネル２との間隙９ａは、両面テープ４ａ，４０ａの介在によって形成された樹脂シャーシ３ａとタッチパネル２との間隙よりも狭いので、異物の進入を阻止する機能を有する。
【００１８】
以下に更に詳しく説明する。本実施形態１の表示装置は、表示デバイス１と、タッチパネル２と、表示デバイス１を組み込む樹脂シャーシ３ａと、タッチパネル２を樹脂シャーシ３ａに固定する両面テープ４ａ，４０ａとを備えている。樹脂シャーシ３ａの内面には、両面テープ４ａ，４０ａが貼り付けられる。その内面の両面テープ４ａ，４０ａが貼り付けられない部分に、両面テープ４ａ，４０ａの厚み以下となる段差３１ａが設けられている。タッチパネル２は、樹脂シャーシ３ａに両面テープ４ａ，４０ａを介して固定される。
【００１９】
ここで、両面テープ４０ａが貼り付けられる側の構造について説明すると、両面テープ４０ａと表示デバイス１との間に、両面テープ４０ａの厚み以下となる段差３２ａが樹脂シャーシ３ａ上に設けられている。段差３２ａとタッチパネル２との間にできる間隙（クリアランス）９ａは、想定される異物の大きさ以下となるように設定される。両面テープ４０ａの端部４１ａと樹脂シャーシ３ａの段差３２ａとによって形成されるスリット５ａは、表示装置内部から分離された形状を成す。また、両面テープ４ａが貼り付けられる側の構造についても、同様に構成することによって、表示装置内部から分離された形状を成すスリットが形成される。
【００２０】
次に、本実施形態１の表示装置の作用及び効果について説明する。樹脂シャーシ３ａに両面テープ４ａ，４０ａの厚み以下となる段差３１ａ，３２ａを設け、段差３１ａ，３２ａとタッチパネル２との間隙９ａを異物の進入を抑える大きさに設定することにより、表示装置内への異物進入を抑制できるので、これによる画像の歪曲や画質の劣化を含む画質不良を防止できる。また、両面テープ４ａ，４０ａの形状を単純化できることにより、両面テープの不要となる部分を減らして面積的に効率よくレイアウトすることが可能となるので、表示装置内への異物進入を抑制できる構造を低コストで実現できる。更に、両面テープ４ａ，４０ａの厚みに依存せずに、想定される異物の大きさに応じて、樹脂シャーシ３ａとタッチパネル２との間隙９ａを設定できることにより、粘着強度が高い又は樹脂シャーシ３ａ上の凹凸の影響を受けにくい両面テープを選択できるので、タッチパネル２の固定強度を高めることができる。
【００２１】
図６は、本発明に係る実施形態２の表示装置においてタッチパネルを除いた状態を示す正面図である。７は、図６におけるＢ部を示す詳細図である。図８は、タッチパネルを加えた状態を示す図７におけるＢ１−Ｂ１線断面図である。図９は、タッチパネルを加えた状態を示す図７におけるＢ２−Ｂ２線断面図である。以下、これらの図面に基づき説明する。
【００２２】
本実施形態２の表示装置における段差３１ｂ，３２ｂは、樹脂シャーシ３ｂに設けられ、両面テープ４ｂ，４０ｂの厚みよりも低い高さを有する第一凸平面である。本実施形態２では、空間８内に進入する異物を捕捉するスリット５ｂが設けられている。スリット５ｂは、両面テープ４ｂ，４０ｂの端部４１ｂの周囲から空間８へ至る形状を成す。
【００２３】
以下に更に詳しく説明する。本実施形態２の表示装置は、表示デバイス１と、タッチパネル２と、表示デバイス１を組み込む樹脂シャーシ３ｂと、タッチパネル２を樹脂シャーシ３ｂに固定する両面テープ４ｂ，４０ｂとを備えている。樹脂シャーシ３ｂの内面には、両面テープ４ｂ、４０ｂが貼り付けられる。その内面の両面テープ４ｂ，４０ｂが貼り付けられない部分には、両面テープ４ｂ，４０ｂの厚み以下となる段差３１ｂが設けられている。タッチパネル２は、樹脂シャーシ３ｂに両面テープ４ｂ，４０ｂを介して固定される。
【００２４】
ここで、両面テープ４０ｂが貼り付けられる側の構造について説明すると、両面テープ４０ｂと表示デバイス１との間に、両面テープ４０ｂの厚み以下となる段差３２ｂが樹脂シャーシ３ｂ上に設けられている。段差３２ｂとタッチパネル２との間にできる間隙９ｂは、想定される異物の大きさ以下となるように設定される。両面テープ４０ｂの端部４１ｂと樹脂シャーシ３ｂとによって形成されるスリット５ｂは、直線状にならない形状を成す。また、両面テープ４ｂが貼り付けられる側の構造についても、同様に構成することによって、直線状にならない形状を成すスリットが形成される。
【００２５】
次に、本実施形態２の表示装置の作用及び効果について説明する。本実施形態２では、両面テープ４０ｂの端部４１ｂと段差３１ｂ，３２ｂを付けた樹脂シャーシ３ｂとによって長尺で非直線状のスリット５ｂを形成したことにより、外部から表示装置内に進入しようとする異物をスリット５ｂ内で捕捉できる。これにより、表示装置内への異物進入を抑制できるので、画像の歪曲や画質の劣化を含む画質不良を防止できる。また、両面テープ４ｂ，４０ｂの形状を単純化できることにより、両面テープの不要となる部分を減らして面積的に効率よくレイアウトすることが可能となるので、表示装置内への異物進入を抑制できる構造を低コストで実現できる。本実施形態２の表示装置におけるその他の構成、作用及び効果は、実施形態１の表示装置と同様である。
【００２６】
図１０は、本発明に係る実施形態３の表示装置においてタッチパネルを除いた状態を示す正面図である。１１は、図１０におけるＣ部を示す詳細図である。図１２は、タッチパネルを加えた状態を示す図１１におけるＣ１−Ｃ１線断面図である。図１３は、タッチパネルを加えた状態を示す図１１におけるＣ２−Ｃ２線断面図である。以下、これらの図面に基づき説明する。
【００２７】
本実施形態３の表示装置における段差３１ｃ，３２ｃは、樹脂シャーシ３ｃに設けられ、両面テープ４ｃ，４０ｃの厚みよりも低い高さを有する第一凸平面である。本実施形態３では、空間８内に進入する異物を捕捉するスリット５ｃ、及び、空間８内に進入する異物を捕捉する粘着部材としての両面テープ６ｃが設けられている。両面テープ６ｃは、一方の面を樹脂シャーシ３ｃに貼り付け、他方の面を粘着部材として利用する。
【００２８】
以下に更に詳しく説明する。本実施形態３の表示装置は、表示デバイス１と、タッチパネル２と、表示デバイス１を組み込む樹脂シャーシ３ｃと、タッチパネル２を樹脂シャーシ３ｃに固定する両面テープ４ｃ，４０ｃと、表示デバイス１を樹脂シャーシ３ｃに固定する両面テープ６ｃとを備えている。樹脂シャーシ３ｃの内面には、両面テープ４ｃ，４０ｃが貼り付けられる。その内面の両面テープ４ｃ、４０ｃが貼り付けられない部分に、両面テープ４ｃ，４０ｃの厚み以下となる段差３１ｃが設けられている。タッチパネル２は、樹脂シャーシ３ｃに両面テープ４ｃ，４０ｃを介して固定される。
【００２９】
ここで、両面テープ４０ｃが貼り付けられる側の構造について説明すると、両面テープ４０ｃと表示デバイス１との間に、両面テープ４０ｃの厚み以下となる段差３２ｃが樹脂シャーシ３ｃ上に設けられている。段差３２ｃとタッチパネル２との間にできる間隙９ｃは、想定される異物の大きさ以下となるように設定される。両面テープ４０ｃの端部４１ｃと樹脂シャーシ３ｃとによって形成されるスリット５ｃは、二つのコーナーを有する形状を成す。樹脂シャーシ３ｃには、表示デバイス１の固定をガイドするリブ７ｃが設けられている。両面テープ４０ｃの端部４１ｃは、リブ７ｃに向き合う位置になる。両面テープ６ｃは、樹脂シャーシ３ｃと表示デバイス１との間にできる空間６１ｃに延伸されている。両面テープ６ｃは、遮光性を有したものを使用することも可能である。また、両面テープ４ｃが貼り付けられる側の構造についても、同様に構成することによって、直線状にならない形状を成すスリットが形成されるとともに、両面テープ６ｃが延伸される。
【００３０】
次に、本実施形態３の表示装置の作用及び効果について説明する。本実施形態３では、外部から表示装置内に進入した異物を表示装置内に配した両面テープ６ｃが捕捉することによって、表示装置内への異物進入を抑制し、画像の歪曲や画質の劣化を含む画質不良を防止できる。また、両面テープ６ｃに遮光性を有するものを使用することによって、樹脂シャーシ３ｃを透過する光など、表示装置内部にできる空間への不要な光の透過を抑制できる。本実施形態３の表示装置によれば、表示装置内への異物進入を段差３１ｃ，３２ｃが抑制し、かつ、内部に貼り付けた両面テープ６ｃが進入する異物を捕捉することによって、表示エリア上への異物侵入を防止できる。また、表示装置内部にできる空間への不要な光の透過を抑制することにより、表示品位の低下を防止することが可能となる。本実施形態３の表示装置におけるその他の構成、作用及び効果は、実施形態１，２の表示装置と同様である。
【００３１】
図１４は、本発明に係る実施形態４の表示装置においてタッチパネルを除いた状態を示す正面図である。１５は、図１４におけるＤ部を示す詳細図である。図１６は、タッチパネルを加えた状態を示す図１５におけるＤ１−Ｄ１線断面図である。図１７は、タッチパネルを加えた状態を示す図１５におけるＤ２−Ｄ２線断面図である。以下、これらの図面に基づき説明する。
【００３２】
本実施形態４の表示装置における段差３１ｄ，３２ｄは、樹脂シャーシ３ｄに設けられ、両面テープ４ｄ，４０ｄの厚みよりも低い高さを有する第一凸平面である。本実施形態３では、空間８内に進入する異物を捕捉するスリット５ｄ、及び、空間８内に進入する異物を捕捉する粘着部材としての両面テープ６ｄが設けられている。段差３３ｄは、樹脂シャーシ３ｄのタッチパネル２の外側に設けられ、両面テープ４ｄ，４０ｄの厚みよりも高い高さを有する第二凸平面である。
【００３３】
以下に更に詳しく説明する。本実施形態４の表示装置は、表示デバイス１と、タッチパネル２と、表示デバイス１を組み込む樹脂シャーシ３ｄと、タッチパネル２を樹脂シャーシ３ｄに固定する両面テープ４ｄ，４０ｄと、表示デバイス１を樹脂シャーシ３ｄに固定する両面テープ６ｄとを備えている。樹脂シャーシ３ｄの内面には、両面テープ４ｄ，４０ｄが貼り付けられる。その内面の両面テープ４ｄ、４０ｄが貼り付けられない部分に、両面テープ４ｄ，４０ｄの厚み以下となる段差３１ｄが設けられている。タッチパネル２は、樹脂シャーシ３ｄに両面テープ４ｄ，４０ｄを介して固定される。
【００３４】
ここで、両面テープ４０ｄが貼り付けられる側の構造について説明すると、両面テープ４０ｄと表示デバイス１との間に、両面テープ４０ｄの厚み以下となる段差３２ｄが樹脂シャーシ３ｄ上に設けられている。樹脂シャーシ３ｄの外形側には、両面テープ４０ｄの厚み以上となる段差３３ｄが設けられている。段差３２ｄとタッチパネル２との間にできる間隙９ｄは、想定される異物の大きさ以下となるように設定される。両面テープ４０ｄの端部４１ｄと樹脂シャーシ３ｄとによって形成されるスリット５ｄは、二つのコーナーを有した形状を成す。樹脂シャーシ３ｄには、表示デバイス１の固定をガイドするリブ７ｄが設けられている。両面テープ４０ｄの端部４１ｄは、リブ７ｄに向き合う位置になる。両面テープ６ｄは、樹脂シャーシ３ｄと表示デバイス１との間にできる空間６１ｄに延伸されている。タッチパネル２は、両面テープ４０ｄの外形側に設けた段差３３ｄに突き当てるように固定する。また、両面テープ４ｄが貼り付けられる側の構造についても、同様に構成することによって、直線状にならない形状を成したスリットが形成され、両面テープ６ｄが延伸される。
【００３５】
次に、本実施形態４の表示装置の作用及び効果について説明する。本実施形態４では、両面テープ４０ｄの端部４１ｄと段差３１ｄ，３２ｄを付けた樹脂シャーシ３ｄとによって形成される非直線のスリット５ｄに対して、立体を成す方向に異物侵入の可能性を有する経路（段差３３ｄ等からなる）を形成する。これに対し、外部から表示装置内に進入しようとする異物をスリット５ｄ内に捕捉することにより、表示装置内への異物進入を抑制できるので、画像の歪曲や画質の劣化を含む画質不良を防止できる。また、立体を成す方向に異物侵入の可能性を有する経路を形成する部分（段差３３ｄ）をタッチパネル２（保護パネル）の固定位置合わせに利用できるため、組立作業を容易化できる。本実施形態４によれば、表示装置内への異物進入の抑制効果を向上できるとともに、樹脂シャーシ３ｄ上へのタッチパネル２（保護パネル）の貼り付け組立作業を容易化できる。本実施形態４の表示装置におけるその他の構成、作用及び効果は、実施形態１〜３の表示装置と同様である。
【００３６】
図１８は、本発明に係る実施形態５の表示装置においてタッチパネルを除いた状態を示す正面図である。図１９は、図１８におけるＥ部を示す詳細図である。図２０は、タッチパネルを加えた状態を示す図１９におけるＥ１−Ｅ１線断面図である。図２１は、タッチパネルを加えた状態を示す図１９におけるＥ２−Ｅ２線断面図である。以下、これらの図面に基づき説明する。
【００３７】
本実施形態５の表示装置における段差３１ｅ，３２ｅは、樹脂シャーシ３ｅに設けられ、両面テープ４ｅ，４０ｅの厚みよりも低い高さを有する第一凸平面である。本実施形態３では、空間８内に進入する異物を捕捉するスリット５ｅ、及び、空間８内に進入する異物を捕捉する粘着部材としての両面テープ６ｅが設けられている。段差３３ｅは、樹脂シャーシ３ｅのタッチパネル２の外側に設けられ、段差３１ｅ，３２ｅに相当する高さを有する第三凸平面である。
【００３８】
以下に更に詳しく説明する。本実施形態５の表示装置は、表示デバイス１と、タッチパネル２と、表示デバイス１を組み込む樹脂シャーシ３ｅと、タッチパネル２を樹脂シャーシ３ｅに固定する両面テープ４ｅ，４０ｅと、表示デバイス１を樹脂シャーシ３ｅに固定する両面テープ６ｅとを備えている。樹脂シャーシ３ｅの内面には、両面テープ４ｅ，４０ｅが貼り付けられる。その内面の両面テープ４ｅ、４０ｅが貼り付けられない部分に、両面テープ４ｅ，４０ｅの厚み以下となる段差３１ｅが設けられている。タッチパネル２は、樹脂シャーシ３ｄに両面テープ４ｅ，４０ｅを介して固定される。
【００３９】
ここで、両面テープ４０ｅが貼り付けられる側の構造について説明すると、両面テープ４０ｅと表示デバイス１との間には、両面テープ４０ｅの厚み以下となる段差３２ｅ，３３ｅが樹脂シャーシ３ｅ上に設けられている。段差３２ｅ，３３ｅとタッチパネル２との間にできる間隙９ｅは、想定される異物の大きさ以下となるように設定される。両面テープ４０ｅの端部４１ｅと樹脂シャーシ３ｅとによって形成されるスリット５ｅは、三以上のコーナーを有する形状を成す。樹脂シャーシ３ｅには、表示デバイス１の固定をガイドするリブ７ｅが設けられている。両面テープ４０ｅの端部４１ｅは、リブ７ｅに向き合う位置になる。両面テープ６ｅは、樹脂シャーシ３ｅと表示デバイス１との間にできる空間６１ｅに延伸されている。また、両面テープ４ｅが貼り付けられる側の構造についても、同様に構成することによって、三以上のコーナーを有する形状を成すスリットが形成され、両面テープ６ｅが延伸される。
【００４０】
次に、本実施形態５の表示装置の作用及び効果について説明する。本実施形態５では、両面テープ４０ｅの端部４１ｅと段差３２ｅ，３３ｅを付けた樹脂シャーシ３ｅとによって非直線で長尺な形状のスリット５ｅを形成することにより、外部から表示装置内に進入しようとする異物をスリット５ｅ内に捕捉できる。これにより、表示装置内への異物進入を抑制できるので、画像の歪曲や画質の劣化を含む画質不良を防止できる。本実施形態５によれば、表示装置内への異物進入の抑制効果を向上できるとともに、表示装置の小型化が可能となる。本実施形態３の表示装置におけるその他の構成、作用及び効果は、実施形態１〜４の表示装置と同様である。
【００４１】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００４２】
次に、実施形態１〜５について総括する。実施形態の表示装置は、タッチパネルや保護パネルなどを樹脂シャーシに両面テープを介して固定する構造を有する表示装置において、両面テープを貼り付ける樹脂シャーシの構造を工夫することによって、タッチパネルや保護パネルと樹脂シャーシとの間隙から表示装置内への異物進入を防止する。すなわち、保護パネルを固定する両面テープを貼り付ける樹脂シャーシ上に、両面テープの厚さ以下となる段差を設け、両面テープの端面部分と表示パネルとの間に壁を設けた構造とする。また、保護パネルを固定する両面テープと表示パネルとの間に、表示面より低い位置に平面を有する段差を設けた構造とする。実施形態によれば、表示装置内への異物進入による画質不良の防止を単純な形状の粘着部材によって抑制することが可能となるので、低コスト化が図れる。また、両面テープの形状を単純化した構成によって、表示装置内への異物進入を抑制できる構造を低コストで実現可能となるとともに、樹脂シャーシ上に両面テープを固定する作業性も改善される。
【００４３】
上記の実施形態の一部又は全部は以下の付記のようにも記載され得るが、本発明は以下の構成に限定されるものではない。
【００４４】
［付記１］表示パネルと、
この表示パネルを収納するシャーシと、
空間を介して前記表示パネルを覆う保護パネルと、
前記シャーシの周縁に前記保護パネルを固定する接着部材と、
前記シャーシ及び前記保護パネルの互いに対向する面の少なくとも一方に設けられ、前記空間の内外の空気の流路となる間隙を形成する凸部と、
を備えたことを特徴とする表示装置。
【００４５】
［付記２］前記凸部は、前記シャーシに設けられ、前記接着部材の厚みよりも低い高さを有する第一凸平面である、
ことを特徴とする付記１記載の表示装置。
【００４６】
［付記３］前記シャーシの前記保護パネルの外側に設けられ、前記接着部材の厚みよりも高い高さを有する第二凸平面を、
更に備えたことを特徴とする付記１又は２記載の表示装置。
【００４７】
［付記４］前記シャーシの前記接着部材の外側に設けられ、前記凸部に相当する高さを有する第三凸平面を、
更に備えたことを特徴とする付記１又は２記載の表示装置。
【００４８】
［付記５］前記空間内に進入する異物を捕捉するスリットを、
更に備えたことを特徴とする付記１乃至４のいずれか一つに記載の表示装置。
【００４９】
［付記６］前記空間内に進入する異物を捕捉する粘着部材を、
更に備えたことを特徴とする付記１乃至４のいずれか一つに記載の表示装置。
【００５０】
［付記７］前記粘着部材が遮光性を有する、
ことを特徴とする付記６記載の表示装置。
【００５１】
［付記８］前記保護パネルがタッチパネルである、
ことを特徴とする付記１乃至７のいずれか一つに記載の表示装置。
【００５２】
［付記９］前記接着部材が両面テープである、
ことを特徴とする付記１乃至８のいずれか一つに記載の表示装置。
【００５３】
［付記１０］前記粘着部材が両面テープである、
ことを特徴とする付記６又は７記載の表示装置。
【００５４】
［付記１１］表示パネルと、この表示パネルの表示面に対し空間を介して設置される保護パネルと、前記表示パネルを収納するシャーシと、前記保護パネルを前記シャーシに固定する接着部材とを備え、
前記保護パネルと対向する前記シャーシの上面には、前記接着部材の厚み以下となる段差が設けられ、
前記接着部材は前記段差の下段となる領域に配置され、
前記接着部材の端部が配置される領域には、前記接着部材と前記表示パネルとを空間的に分離するように、前記段差の上段に相当する壁が設けられている、
ことを特徴とする表示装置。
【００５５】
［付記１２］前記保護パネルは、タッチパネルであることを特徴とする付記１１に記載の表示装置。
【００５６】
［付記１３］前記接着部材は、両面テープであることを特徴とする付記１１に記載の表示装置。
【００５７】
［付記１４］前記接着部材と表示パネルとを空間的に分離するように設けた壁は、前記接着部材の端部に配置されることを特徴とする付記１１に記載の表示装置。
【００５８】
［付記１５］
前記接着部材の端部が配置される領域には、前記接着部材と当該表示装置の外部を空間的に分離するように、前記段差の上段に相当する高さを有する壁が設けられていることを特徴とする付記１４に記載の表示装置。
【００５９】
［付記１６］表示パネルと、この表示パネルの表示面に対し空間を介して設置される保護パネルと、前記表示パネルを収納するシャーシと、前記保護パネルを前記シャーシに固定する接着部材とを備え、
前記保護パネルと対向する前記シャーシの上面には、前記接着部材の厚み以下となる段差が設けられ、
前記接着部材はこの段差の下段となる領域に配置され、
前記接着部材の端部が配置される領域には、前記接着部材と前記表示パネルとを空間的に分離するように、前記段差の上段に相当する壁が設けられて、
前記表示パネルと前記接着部材との間には、前記表示パネルの表示面より低い位置に平面を有する別の段差が設けられたことを特徴とする表示装置。
【００６０】
［付記１７］
前記保護パネルは、タッチパネルであることを特徴とする付記１６に記載の表示装置。
【００６１】
［付記１８］
前記接着部材は、両面テープであることを特徴とする付記１６に記載の表示装置。
【００６２】
［付記１９］前記接着部材の端部が配置される領域には、前記接着部材と当該表示装置の外部とを空間的に分離するように、前記段差の上段に相当する高さを有する壁が設けられていることを特徴とする付記１６に記載の表示装置。
【００６３】
［付記２０］前記接着部材の端部が配置される領域には、前記接着部材と当該表示装置の外部とを空間的に分離するように、前記段差の上段より大きい高さを有する壁が設けられていることを特徴とする付記１６に記載の表示装置。
【００６４】
［付記２１］前記別の段差には、その平面部分に粘着部材が配置されていることを特徴とする付記１６に記載の表示装置。
【００６５】
［付記２２］前記粘着部材は遮光性を有していることを特徴とする付記２１に記載の表示装置。
【００６６】
［付記２３］前記表示パネルと前記シャーシとは粘着部材を介して固定されていることを特徴とする付記１６に記載の表示装置。
【００６７】
［付記２４］前記粘着部材は、前記別の段差の領域まで延伸された形状であることを特徴とする付記１６に記載の表示装置。
【００６８】
［付記２５］前記粘着部材は遮光性を有していることを特徴とする付記２４に記載の表示装置。
【産業上の利用可能性】
【００６９】
本発明は、例えば液晶ディスプレイや有機ＥＬディスプレイなどの表示装置に利用可能である。
【符号の説明】
【００７０】
実施形態１
１  表示デバイス（表示パネル）
２  タッチパネル（保護パネル）
３  シャーシ
３ａ  樹脂シャーシ（シャーシ）
３１ａ，３２ａ  段差（凸部、第一凸平面）
４ａ、４０ａ  両面テープ（接着部材）
４１ａ  両面テープの端部
５ａ  スリット
８  空間
９ａ  間隙
実施形態２
３ｂ  樹脂シャーシ（シャーシ）
３１ｂ，３２ｂ  段差（凸部、第一凸平面）
４ｂ、４０ｂ  両面テープ（接着部材）
４１ｂ  両面テープの端部
５ｂ  スリット
９ｂ  間隙
実施形態３
３ｃ  樹脂シャーシ（シャーシ）
３１ｃ，３２ｃ  段差（凸部、第一凸平面）
４ｃ、４０ｃ  両面テープ（接着部材）
４１ｃ  両面テープの端部
５ｃ  スリット
６ｃ  両面テープ（粘着部材）
６１ｃ  空間
７ｃ  リブ
９ｃ  間隙
実施形態４
３ｄ  樹脂シャーシ（シャーシ）
３１ｄ，３２ｄ  段差（凸部、第一凸平面）
３３ｄ  段差（第二凸平面）
４ｄ、４０ｄ  両面テープ（接着部材）
４１ｄ  両面テープの端部
５ｄ  スリット
６ｄ  両面テープ（粘着部材）
６１ｄ  空間
７ｄ  リブ
９ｄ  間隙
実施形態５
３ｅ  樹脂シャーシ（シャーシ）
３１ｅ，３２ｅ  段差（凸部、第一凸平面）
３３ｅ  段差（第三凸平面）
４ｅ、４０ｅ  両面テープ（接着部材）
４１ｅ  両面テープの端部
５ｄｅスリット
６ｅ  両面テープ（粘着部材）
６１ｅ  空間
７ｅ  リブ
９ｅ  間隙
【図１】
2012164676.tif 000003
【図２】
2012164676.tif 000004
【図３】
2012164676.tif 000005
【図４】
2012164676.tif 000006
【図５】
2012164676.tif 000007
【図６】
2012164676.tif 000008
【図７】
2012164676.tif 000009
【図８】
2012164676.tif 000010
【図９】
2012164676.tif 000011
【図１０】
2012164676.tif 000012
【図１１】
2012164676.tif 000013
【図１２】
2012164676.tif 000014
【図１３】
2012164676.tif 000015
【図１４】
2012164676.tif 000016
【図１５】
2012164676.tif 000017
【図１６】
2012164676.tif 000018
【図１７】
2012164676.tif 000019
【図１８】
2012164676.tif 000020
【図１９】
2012164676.tif 000021
【図２０】
2012164676.tif 000022
【図２１】
2012164676.tif 000023
【図２２】
2012164676.tif 000024
【図２３】
2012164676.tif 000025
【手続補正書】
【提出日】平成25年12月2日(2013.12.2)
【手続補正１】
【補正対象書類名】特許請求の範囲
【補正対象項目名】請求項１４
【補正方法】変更
【補正の内容】
【請求項１４】
前記粘着部材は、前記別の段差の領域まで延伸された形状であることを特徴とする請求項１３に記載の表示装置。
【国際調査報告】
2012164676.tif 000026
2012164676.tif 000027
2012164676.tif 000028
2012164676.tif 000029
2012164676.tif 000030